(57)【要約】【課題】  回診によるＸ線撮影作業を効率良く、かつ、検査者および担当医師の負担を軽く行うことができるようにする。【解決手段】  回診用Ｘ線撮影装置と、管理室内に設けられる情報管理装置とから回診用Ｘ線撮影システムを構成する。回診用Ｘ線撮影装置に、取得した画像データを無線送信する回診側送信手段と、情報管理装置から無線送信される撮影完了情報または再撮影指令情報を受信する回診側受信手段と、回診側受信手段で受信した撮影完了情報または再撮影指令情報を表示する情報表示手段とを備える。情報管理装置に、回診用Ｘ線撮影装置から無線送信される画像データを受信する管理側受信手段と管理側送信手段とを備え、受信した画像データに基づいて、操作パネルで撮影完了情報「ＯＫ」または再撮影指令情報「再撮影」を入力し、その情報を回診用Ｘ線撮影装置に無線送信する。【選択図】        図６
2007000176.tif 000002
【特許請求の範囲】
【請求項１】
被検体にＸ線を照射するＸ線照射手段と、前記Ｘ線照射手段から照射されて前記被検体を透過したＸ線を検出するフラットパネル型Ｘ線検出器と、前記フラットパネル型Ｘ線検出器で検出されたＸ線を処理して画像データを作成する情報処理手段と、前記情報処理手段で処理された画像データに基づくＸ線画像を表示する回診側画像表示手段とを移動走行可能な台車に備えて回診用Ｘ線撮影装置を構成し、前記回診用Ｘ線撮影装置で取得した画像データとそれに対応する被検体属性データとを記憶するデータ記憶手段と、前記回診用Ｘ線撮影装置で取得した画像データに基づくＸ線画像を表示する管理側画像表示手段とを備えて情報管理装置を構成し、前記回診用Ｘ線撮影装置と前記情報管理装置との間で交信可能に構成した回診用Ｘ線撮影システムにおいて、
前記回診用Ｘ線撮影装置に、取得した画像データを無線送信する回診側送信手段と、前記情報管理装置から無線送信される撮影完了情報または再撮影指令情報を受信する回診側受信手段と、前記回診側受信手段で受信した撮影完了情報または再撮影指令情報を表示する情報表示手段とを備え、前記情報管理装置に、回診用Ｘ線撮影装置から無線送信される画像データを受信する管理側受信手段と、前記管理側受信手段で受信した画像データに基づいた撮影完了情報または再撮影指令情報を入力する情報入力手段と、前記情報入力手段で入力された撮影完了情報または再撮影指令情報を前記回診用Ｘ線撮影装置に無線送信する管理側送信手段とを備えたことを特徴とする回診用Ｘ線撮影システム。
【発明の詳細な説明】
【技術分野】
【０００１】
この発明は、被検体にＸ線を照射するＸ線管などのＸ線照射手段と、Ｘ線照射手段から照射されて被検体を透過したＸ線を検出するフラットパネル型Ｘ線検出器と、フラットパネル型Ｘ線検出器で検出されたＸ線を処理して画像データを作成する情報処理手段と、情報処理手段で処理された画像データに基づくＸ線画像を表示する回診側画像表示手段とを移動走行可能な台車に備えて回診用Ｘ線撮影装置を構成し、その回診用Ｘ線撮影装置で取得した画像データとそれに対応する被検体属性データとを記憶するデータ記憶手段と、回診用Ｘ線撮影装置で取得した画像データを表示する管理側画像表示手段とを備えて情報管理装置を構成し、回診用Ｘ線撮影装置と情報管理装置との間で交信可能に構成した回診用Ｘ線撮影システムに関する。
【背景技術】
【０００２】
この種のシステムとしては、従来、次のようなものが知られている。
Ｘ線発生装置とフラットパネルＸ線検出器とを備えた回診用Ｘ線装置に、フラットパネルＸ線検出器のコントロールユニットより出力されるデジタル・ビデオ信号（画像データ）を画像強調等の画像処理をする画像処理回路と、ネットワークインターフェイスとが備えられている。
【０００３】
一方、病院内において、ネットワークが各病室に張り巡らされるとともに、そのネットワークに接続するために接続端子盤が設けられ、ハードディスク等の画像記憶手段を備えた中央画像処理部に画像データを伝送できるように構成されている。
【０００４】
回診用Ｘ線装置の使用時に、ケーブルを介してネットワークインターフェイスをネットワークに接続し、コントロールユニットより出力されたデジタル・ビデオ信号（画像データ）を画像処理回路で画像処理し、ネットワークインターフェイス・ケーブル・ネットワークを経て中央画像処理部に転送し、画像記憶手段に記憶するように構成されている（例えば、特許文献１参照）。
【特許文献１】特開平１１−１８８０２５号公報
【発明の開示】
【発明が解決しようとする課題】
【０００５】
しかしながら、上述のような従来例の場合、被検体の位置と接続端子盤とが離れているような場合、病室内で、邪魔にならないようにケーブルを引き回さなければならず、Ｘ線撮影前のケーブルの接続ならびにＸ線撮影終了後のケーブルの撤去に手間を要し、しかも、回診で病室が変わるたびに同様の作業が必要となり、回診によるＸ線撮影の作業効率が低い欠点があった。
【０００６】
また、院内ＰＨＳによる通信システムが備えられている病院であれば、回線回診の進捗状況の伝達であるとか、撮影したＸ線画像の不具合がある場合の再撮影の指示を行うような場合、院内ＰＨＳによる携帯電話を利用して行うことができるが、携帯電話を持ちながらの作業となり、検査者に負担がかかる不都合があった。
【０００７】
また、複数の検査者それぞれが別途回診によるＸ線撮影を行っている場合、中央画像処理部では、担当医師が複数の携帯電話に頻繁にかけなければならず、検査者および担当医師のいずれにおいても、交信のために必要以上に負担がかかる不都合があった。
【０００８】
この発明は、上述のような事情に鑑みてなされたものであって、回診によるＸ線撮影作業を効率良く、かつ、検査者および担当医師の負担を軽く行うことができるようにすることを目的とする。
【課題を解決するための手段】
【０００９】
請求項１に係る発明は、上述のような目的を達成するために、次のような構成をとる。
すなわち、被検体にＸ線を照射するＸ線照射手段と、前記Ｘ線照射手段から照射されて前記被検体を透過したＸ線を検出するフラットパネル型Ｘ線検出器と、前記フラットパネル型Ｘ線検出器で検出されたＸ線を処理して画像データを作成する情報処理手段と、前記情報処理手段で処理された画像データに基づくＸ線画像を表示する回診側画像表示手段とを移動走行可能な台車に備えて回診用Ｘ線撮影装置を構成し、前記回診用Ｘ線撮影装置で取得した画像データとそれに対応する被検体属性データとを記憶するデータ記憶手段と、前記回診用Ｘ線撮影装置で取得した画像データに基づくＸ線画像を表示する管理側画像表示手段とを備えて情報管理装置を構成し、前記回診用Ｘ線撮影装置と前記情報管理装置との間で交信可能に構成した回診用Ｘ線撮影システムにおいて、
前記回診用Ｘ線撮影装置に、取得した画像データを無線送信する回診側送信手段と、前記情報管理装置から無線送信される撮影完了情報または再撮影指令情報を受信する回診側受信手段と、前記回診側受信手段で受信した撮影完了情報または再撮影指令情報を表示する情報表示手段とを備え、前記情報管理装置に、回診用Ｘ線撮影装置から無線送信される画像データを受信する管理側受信手段と、前記管理側受信手段で受信した画像データに基づいた撮影完了情報または再撮影指令情報を入力する情報入力手段と、前記情報入力手段で入力された撮影完了情報または再撮影指令情報を前記回診用Ｘ線撮影装置に無線送信する管理側送信手段とを備えたことを特徴としている。
【発明の効果】
【００１０】
（作用・効果）請求項１に係る発明の回診用Ｘ線撮影装置の構成によれば、検査者が、病室内の撮影しようとする被検体の近くまで回診用Ｘ線撮影装置を移動させ、フラットパネル型Ｘ線検出器を被検体の下方にセットするとともに、その上方にＸ線照射手段をセットし、その状態でＸ線を照射する。フラットパネル型Ｘ線検出器が被検体を透過したＸ線を検出し、それに基づいた画像データを情報処理手段で作成し、作成された画像データに基づくＸ線画像を回診側画像表示手段に表示するとともに、画像データを回診側送信手段を通じて無線送信する。
情報管理装置側では、無線送信された画像データを管理側受信手段を通じて受信し、その画像データに基づくＸ線画像を管理側画像表示手段に表示する。情報管理装置側で管理している医師は、表示されたＸ線画像を見て適切に撮影された画像か、撮り直しが必要な画像かを判断し、情報入力手段により、撮影完了情報または再撮影指令情報を入力し、管理側送信手段を通じて無線通信する。回診用Ｘ線撮影装置側において、情報管理装置から無線送信される撮影完了情報または再撮影指令情報を回診側受信手段で受信し、その撮影完了情報または再撮影指令情報を情報表示手段に表示する。
【００１１】
したがって、無線による交信で、情報管理装置から送られてくる情報を情報表示手段に表示させ、その情報を確認することにより、回診用Ｘ線撮影装置で撮影を行ったその場で適正に撮影されたかどうかを判断し、再撮影指令情報であれば、即座に撮り直すことができるから、交信のためにケーブルを接続したりせずに済むとともに、携帯電話を頻繁にかけたりせずに済み、回診によるＸ線撮影作業を効率良く、かつ、検査者および担当医師の負担を軽く行うことができる。
しかも、再撮影指令情報に基づいて、撮り直しを迅速に行うことができ、例えば、回診撮影の終了後にまとめて適切に撮影された画像か、撮り直しが必要な画像かを判断し、撮り直しが必要なときに、再度回診撮影の日時を設定するような場合に比べ、被検体である患者の負担を軽減できる。
【発明を実施するための最良の形態】
【００１２】
次に、この発明の実施例について、図面に基づいて詳細に説明する。
【００１３】
図１は、この発明に係る回診用Ｘ線撮影システムの実施例の全体概略構成を示す平面図、図２は、全体概略構成を示す側面図、図３は、全体概略構成を示すブロック図であり、回診用Ｘ線撮影システムが、病室１を回って被検体ＨのＸ線撮影を行う回診用Ｘ線撮影装置２と、管理室３内に設けられる情報管理装置４とから構成されている。管理室３としては、病室１と同じ棟内に設けられている場合に限らず、別の棟や敷地に設けられている場合もある。
【００１４】
回診用Ｘ線撮影装置２は、被検体ＨにＸ線を照射するＸ線照射手段としてのＸ線管５、フラットパネル型Ｘ線検出器６、情報処理手段７、回診側画像表示手段としての回診側表示モニタ８、操作パネル９およびＸ線照射制御部１０を移動走行可能な台車１１に備えて構成されている。
【００１５】
台車１１の前方側に立設された支柱１２に鉛直方向の軸心周りで回転可能に水平アーム１３が設けられ、その水平アーム１３にＸ線管５が設けられている。これにより、台車１１の移動走行時には、図１に示すように、水平アーム１３が後方側を向いて、平面視で台車１１に重複するコンパクトな姿勢にできながら、Ｘ線撮影時には、図２に示すように、Ｘ線管５を被検体Ｈの上方に容易に移動できるように構成されている。
【００１６】
フラットパネル型Ｘ線検出器６は、台車１１の前部に設けた収納部（図示せず）に簡単に出し入れできる状態で収容されている。このフラットパネル型Ｘ線検出器６は、図４のＸ線検出素子の配置状態の平面図に示すように、Ｘ線検出面に多数のＸ線検出素子６ａをＸ線透視画像の画素配列に対応する配列でＸ方向（横方向）とＹ方向（縦方向）とに配置して構成されている。より具体的には、例えば、Ｘ方向およびＹ方向それぞれに４０００個程度のＸ線検出素子６ａを並べた正方形マトリックスの配列に構成され、軽量・薄型でベッド上で仰向け姿勢になった状態の被検体Ｈの背中側に容易にセットして、Ｘ線管５から照射されて被検体Ｈを透過したＸ線を検出できるように構成されている。フラットパネル型Ｘ線検出器６で検出されたＸ線を処理するのに、情報処理手段７に有線で接続して検出されたＸ線を処理する構成に限らず、フラットパネル型Ｘ線検出器６で検出されたＸ線を信号として無線で情報処理手段７に送信することにより、検出されたＸ線を処理する構成を採用しても良い。
【００１７】
操作パネル９では、Ｘ線管５の管電圧・管電流などの撮影条件の設定や、Ｘ線照射の指令や、画像データの送信指令などを行えるように構成されている。Ｘ線照射制御部１０は、台車１１に搭載されたバッテリー（図示せず）から必要なエネルギーの供給を受けながら被検体ＨにＸ線を照射する制御を行うように構成されている。
台車１１は、バッテリー（図示せず）に接続された電動モータ（図示せず）による後輪駆動型に構成されている。
【００１８】
情報処理手段７では、フラットパネル型Ｘ線検出器６で検出されたＸ線を処理して画像データを作成するように構成され、この情報処理手段７で処理された画像データに基づくＸ線画像を回診側表示モニタ８に表示するように構成されている。
【００１９】
図３に示すように、回診用Ｘ線撮影装置２には、データメモリ部１４と、情報管理装置４と無線交信するための回診側送信手段１５および回診側受信手段１６と、情報表示処理部１７とが備えられている。
【００２０】
データメモリ部１４では、情報処理手段７で処理された画像データや、被検体属性データなどを記憶するようになっている。被検体属性データとしては、例えば、被検体Ｈの氏名、患者番号、病室番号などが挙げられ、操作パネル９からの入力操作や、情報管理装置４側のデータメモリ部１８などからの転送などによって記憶されるようになっている。また、操作パネル９からの入力操作により、情報処理手段７で処理された画像データが、対応する被検体属性データとともに記憶できるようになっている。
【００２１】
回診側送信手段１５は、回診側無線アンテナ１９と送信回路２０とから構成され、被検体Ｈに対するＸ線撮影が終了するに伴って、その画像データと、それに対応する被検体属性データとを情報管理装置４側に無線送信できるようになっている。
【００２２】
回診側受信手段１６は、回診側無線アンテナ１９と受信回路２１とから構成され、情報管理装置４側から無線送信される撮影完了情報または再撮影指令情報、ならびに、緊急情報や付帯情報を受信できるようになっている。
【００２３】
情報表示処理部１７では、受信した情報管理装置４側からの撮影完了情報または再撮影指令情報、ならびに、緊急情報や付帯情報を被検体属性データとともに処理し、回診側表示モニタ８に表示できるように構成されている。この情報表示処理部１７と回診側表示モニタ８とから成る構成をして情報表示手段と称する。情報表示手段としては、回診側表示モニタ８とは別の専用の表示モニタを用いるようにしても良い。
【００２４】
情報管理装置４には、回診用Ｘ線撮影装置２と無線交信するための管理側受信手段２２および管理側送信手段２３と、受信データ処理部２４と、データメモリ部１８と、情報入力手段としての操作パネル２５と管理側画像表示手段としての管理側表示モニタ２６と、プリンター２７と、情報伝達処理部２８とが備えられている。
【００２５】
管理側受信手段２２は、管理側無線アンテナ２９と受信回路３０とから構成され、回診用Ｘ線撮影装置２側から無線送信される画像データと、それに対応する被検体属性データとを受信できるようになっている。
【００２６】
受信データ処理部２４では、受信した画像データと、それに対応する被検体属性データとを一時的に記憶保持し、自動的にまたは操作パネル２５による操作に応じて調整処理し、データメモリ部１８に記憶させたり、管理側表示モニタ２６に表示させたり、プリンター２７で印刷したりできるようになっている。
【００２７】
データメモリ部１８では、受信データ処理部２４で調整処理された画像データと、それに対応する被検体属性データを記憶したり、撮影完了情報または再撮影指令情報、ならびに、緊急情報や付帯情報などを記憶したりできるようになっている。
管理側表示モニタ２６では、図５の表示画面の正面図に示すように、回診用Ｘ線撮影装置２側から送信されてきた画像データに基づくＸ線画像を表示するとともに、操作パネル２５により入力した欠像部に対する指示線Ａを加えた指示画像を表示するようになっている。
【００２８】
情報伝達処理部２８では、情報管理装置４側で待機している医師などによって操作パネル２５より入力される撮影完了情報または再撮影指令情報、ならびに、緊急情報や付帯情報を処理し、被検体属性データや指示画像データなどとともに管理側送信手段２３を通じて回診用Ｘ線撮影装置２側に無線送信するように構成されている。
管理側送信手段２３は、管理側無線アンテナ２９と送信回路３１とから構成されている。
【００２９】
次に、上記回診用Ｘ線撮影システムを用いて行う回診用Ｘ線撮影について説明する。
先ず、検査者が台車１１を移動して病室１内の被検体Ｈの近くで停車させる。次いで、Ｘ線管５およびフラットパネル型Ｘ線検出器６をセットし、Ｘ線撮影を行い、撮影したＸ線画像を回診側表示モニタ１７に表示させる。撮影されていることを確認してから、操作パネル９に対する入力操作により、図６の（ａ）や（ｂ）の表示画面の正面図に示すように、該当する被検体Ｈに対応させて、状況として「撮影済み」を表示させるようにし、画像データとともに情報管理装置４側に送信する。
【００３０】
情報管理装置４では、待機している医師が、回診用Ｘ線撮影装置２側から送信された画像データに基づくＸ線画像を管理側表示モニタ２６で確認し、それが適切に撮影されていると判断すれば、操作パネル２５に対する入力操作により画像確認として撮影完了情報である「ＯＫ」を表示させるようにし、その撮影完了情報を回診用Ｘ線撮影装置２側に送信する。検査者は、撮影完了情報を確認してから、次の被検体Ｈに対する撮影に移行する。
【００３１】
回診用Ｘ線撮影装置２側から送信された画像データに基づくＸ線画像が適切に撮影されていなくて取り直しが必要であると判断すれば、図６の（ｃ）の表示画面の正面図に示すように、操作パネル２５に対する入力操作により画像確認として再撮影指令情報である「再撮影」を表示させるようにし、その再撮影指令情報を回診用Ｘ線撮影装置２側に送信する。このとき、欠像箇所Ａを指示した指示画像を表示する指示画像データを回診用Ｘ線撮影装置２側に送信するとともに、注意事項として、付帯情報である、「画像データを送信したこと、ならびに、再撮影になった理由」などを表示させるようにし、それらの情報データをも併せて回診用Ｘ線撮影装置２側に送信する。検査者は、再撮影指令情報を確認すると、注意事項を参照しながら再度撮影を行う。
【００３２】
情報管理装置４側から回診用Ｘ線撮影装置２側へは、次のような緊急情報を送信できるように構成されている。
（１）撮影部位の変更や追加あるいは削除
（２）撮影枚数の変更
（３）体厚の変化などに伴う焦点深さなどの撮影条件の変更
（４）複数の検査者による回診でＸ線撮影を行っている場合などにおいて、両者の進捗状況の差異に応じて、撮影予定を変更すること。すなわち、撮影を予定していた被検体Ｈの削除や撮影を予定していなかった被検体Ｈの追加など
（５）回診を中断しての緊急の情報管理装置４側などへの帰還
【００３３】
本発明としては、管理室３が、病室１とは別の棟や敷地に設けられている場合などにおいて、回診用Ｘ線撮影装置２と情報管理装置４との間に中継局を設けて無線交信するように構成するものでも良い。
【図面の簡単な説明】
【００３４】
【図１】この発明に係る回診用Ｘ線撮影システムの実施例の全体概略構成を示す平面図である。
【図２】全体概略構成を示す側面図である。
【図３】全体概略構成を示すブロック図である。
【図４】Ｘ線検出素子の配置状態を示す平面図である。
【図５】表示画面の正面図である。
【図６】表示画面の正面図である。
【符号の説明】
【００３５】
２…回診用Ｘ線撮影装置
４…情報管理装置
５…Ｘ線管（Ｘ線照射手段）
６…フラットパネル型Ｘ線検出器
７…情報処理手段
８…回診側表示モニタ（回診側画像表示手段）
１１…台車
１５…回診側送信手段
１６…回診側受信手段
１７…情報表示処理部（情報表示手段）
２２…管理側受信手段
２３…管理側送信手段
２５…操作パネル（情報入力手段）
２６…管理側表示モニタ（管理側画像表示手段）
Ｈ…被検体
【図１】
2007000176.tif 000003
【図２】
2007000176.tif 000004
【図３】
2007000176.tif 000005
【図４】
2007000176.tif 000006
【図５】
2007000176.tif 000007
【図６】
2007000176.tif 000008